(57)【特許請求の範囲】
【請求項１】
座る人の臀部を受ける座板と、使用時に座板の前側を支え不使用時に折畳まれ座板の前方に位置される前板と、座板，前板を引出し，折畳み可能に連結して収納室の取付面に支持するリンク部材とを備えた折畳椅子において、
リンク部材は座板の下面と前板の後面と収納室の取付面とにそれぞれ当接される取付ブラケットが１対離間して配設され、取付ブラケットを連結して回転可能に支持する支軸と、１対の取付ブラケット間に掛渡して対間を連結する連結軸とが取付ブラケットに形成された軸受部に挿通され、前板の取付ブラケットに配設される連結軸と背板の取付ブラケットに配設される支軸との間に引張付勢されたバネ材が連結されて前板の引出しに対し抵抗力を与えるように組立て完成されていることを特徴とする折畳椅子。
【請求項２】
請求項１記載の折畳椅子において、バネ材は引張力を調整可能であることを特徴とする折畳椅子。
【請求項３】
請求項１記載の折畳椅子において、リンク部材には掛渡される連結軸間に連結アームが回転可能に連結されていることを特徴とする折畳椅子。
【発明の詳細な説明】
【０００１】
【発明の属する技術分野】
本発明は、玄関等に据付けられ使用時に引出して腰掛け不使用時に折畳んで邪魔にならないようにする折畳椅子に係る技術分野に属する。
【０００２】
【従来の技術】
従来、折畳椅子としては、例えば、特開２０００−６０６７４号公報に記載のものが知られている。
【０００３】
この従来の折畳椅子は、座る人の臀部を受ける座板と、使用時に座板の前側を支え不使用時に折畳まれた座板の前方に位置される前板と、座板，前板を引出し，折畳み可能に連結して取付面に支持するリンク部材とを備えてなる。リンク部材は、座板，前板，取付面に取付けられるフレーム部材，軸部材等で構成されている。
【０００４】
【発明が解決しようとする課題】
前述の従来の折畳椅子では、座板、前板の寸法仕様に対応したリンク部材を設計製作し、リンク部材に座板、前板が取付られ、取付面に折畳みを可能とするように組立られている。従って、座板、前板の寸法仕様が変更された場合、リンク部材は座板を支える脚部材の床面からの高さ、収納室に収納される際に前板によって隠蔽される大きさ等に対応して個別のリンク部材を設計変更する必要があり、このため、リンク部材は座板、前板にそれぞれ対応した設計製作をしなければならないという問題点がある。
【０００５】
特に、前板を引出して使用する際や折畳んで収納室に収納する際に、折畳椅子の自重が利用者にとって負担とならない設計を行う必要があるため、設計において、座板、前板は自重によって限定された仕様となる。
【０００６】
また、この従来の折畳椅子では、座板，前板，取付面に取付けられるフレーム部材は、左右一対の座板支持杆、脚部材、横桟部材で構成されているが、対を成す両部材は非連結であるため、正確な位置関係での各部材の組立及び据付が行うことが困難である。
【０００７】
さらに、組立部品、部材の点数が多いことから、現場での取付作業の工程が複雑化して多くの工程を要することになり、組立及び据付精度の低下や作業時間の遅延に繋がる。
【０００８】
本発明は、このような問題点を考慮してなされたもので、異なる寸法仕様の座板，前板に対応可能なリンク部材を備えた汎用性の高い折畳椅子及び組立精度が高く、簡略化された組立及び据付が可能な折畳椅子を提供することを課題とする。
【０００９】
【課題を解決するための手段】
前述の課題を解決するため、本発明に係る折畳椅子は、次のような手段を採用する。
【００１０】
即ち、請求項１では、座る人の臀部を受ける座板と、使用時に座板の前側を支え不使用時に折畳まれ座板の前方に位置される前板と、座板，前板を引出し，折畳み可能に連結して収納室の取付面に支持するリンク部材とを備えた折畳椅子において、リンク部材は座板の下面と前板の後面と収納室の取付面とにそれぞれ当接される取付ブラケットが１対離間して配設され、取付ブラケットを連結して回転可能に支持する支軸と、１対の取付ブラケット間に掛渡して対間を連結する連結軸とが取付ブラケットに形成された軸受部に挿通され、前板の取付ブラケットに配設される連結軸と背板の取付ブラケットに配設される支軸との間に引張付勢されたバネ材が連結されて前板の引出しに対し抵抗力を与えるように組立て完成されていることを特徴とする。
【００１１】
この手段では、座板，前板の寸法仕様が異なっても取付ブラケットが当接される面が確保されていれば、既に組立て完成されているリンク部材を座板，前板に取付けて取付面に支持することができる。
また、４点回動に構成されたリンク部材の支軸と連結軸が座板，前板，取付面への取付部分である取付ブラケットに支持され、連結軸によりリンク部材を構成する各部材の位置関係が明確になる。
さらに、バネ材が座板，前板の引出しに抵抗し、折畳みを助勢する。
【００１２】
また、請求項２では、請求項１の折畳椅子において、バネ材は引張力を調整可能であることを特徴とする。
【００１３】
この手段では、バネ材の座板，前板の引出しに対する抵抗力や折畳みの助勢力が調整される。
【００１４】
また、請求項３では、請求項１記載の折畳椅子において、リンク部材には掛渡される連結軸間に連結アームが回転可能に連結されていることを特徴とする。
【００１５】
この手段では、リンク部材の４点での回動を連係させている。
【００１６】
【発明の実施の形態】
以下、本発明に係る折畳椅子の実施の形態を図面に基づいて説明する。
【００１７】
この実施の形態では、玄関等の床面Ｆ近くの壁面Ｗに形成された収容室１に据付けられるものを示してある。
【００１８】
収容室１は、上枠板１１，側枠板１２，背板１３で方体形に囲み形成されている。収容室１の下半部は、棚板１４，幕板１５によって周囲の壁面Ｗと面一になるように閉塞されている。収容室１の上半部は、座板２，前板３，リンク部材４を収容する収容空間１６として玄関等に向けて開放されている。背板１３は、収容空間１６に臨む面がリンク部材４が支持される取付面とされている。取付面である背板１３の上部には、ゴム材等からなる円柱形の緩衝突起１７が取付けられている。また、上枠板１１は、中央部にマグネットキャッチャ１８が取付けられている。
【００１９】
この実施の形態は、前述の従来例と同様に、座板２，前板３，リンク部材４で構成されている。
【００２０】
座板２は、座る人の臀部を受けて荷重に耐えることのできる強度を有する材質の板材で収容室１の収容空間１６に収容される大きさの方形に形成されている。座板２の上面２１，下面２２は、特別な加工等が施されていない平坦面となっている。
【００２１】
前板３は、起立して座板２に座った人の荷重に耐えて座板２の前側を支えることのできる強度を有する材質の板材で収容室１の収容空間１６に収容される大きさ（収容室１の収容空間１６の開口面にほぼ一致する大きさ）の方形に形成されている。前板３の前面３１は、手を掛けることのできる堀込み形の取手３２が設けられている。前板の３の後面３３は、平坦面で上部縁に鉄片３４が取付けられている。前板３の下端面３５は、ゴム材等からなる円柱形の緩衝脚３６が取付けられている。
【００２２】
リンク部材４は、取付ブラケット４１，回転軸４２，連結アーム４３，バネ材４４を主要部材として組立て完成されている。
【００２３】
取付ブラケット４１は、座板取付ブラケット４１１，前板取付ブラケット４１２，背板取付ブラケット４１３の３種類６個からなる。座板取付ブラケット４１１は、座板２に取付けられるもので、座板２の下面２２の左右の側縁に当接される長板形の取付用板４１１ａと、取付用板４１１ａに開孔され座板２に螺入される取付ネジ５が挿通される２個のネジ孔４１１ｂと、取付用板４１１ａの長さ方向に沿ってほぼＬ字形に屈曲され長板形の両端に軸受部４１１ｄを有する連結用板４１１ｃとからなる。この座板取付ブラケット４１１は、Ｌ字形の２個がコの字形となるように相対して配置されている。前板取付ブラケット４１２は、前板３に取付けられるもので、前板３の後面３３の左右の側縁の上部に当接される長板形の取付用板４１２ａと、取付用板４１２ａに開孔され前板３に螺入される取付ネジ５が挿通される３個のネジ孔４１２ｂと、取付用板４１２ａの上部の外側に９０度の角度で屈曲された軸受部４１２ｅを有する連結用片４１２ｃと、取付用板４１２ａの下部の内側に９０度の角度で屈曲された軸受部４１２ｆを有する連結用片４１２ｄとからなる（図６参照）。この前板取付ブラケット４１２は、２個が相対して配置されている。背板取付ブラケット４１３は、取付面（収容室１の背板１３）に取付けられるもので、取付面の左右の端の下部に当接される長板形の取付用板４１３ａと、取付用板４１３ａに開孔され取付面に螺入される取付ネジ６（前記取付ネジ５よりも大きい）が挿通される３個のネジ孔４１３ｂと、取付用板４１３ａの上部の外側に９０度の角度で屈曲された軸受部４１３ｅを有する連結用片４１３ｃと、取付用板４１３ａの下部の内側に９０度の角度で屈曲された軸受部４１３ｆを有する連結用片４１３ｄとからなる（図５参照）。この背板取付ブラケット４１３は、２個が相対して配置されている。
【００２４】
回転軸４２は、支軸４２１，連結軸４２２，支軸４２３，連結軸４２４の４種類６本からなる。支点回転軸４２１は、相対的に短い軸長からなるもので、取付ブラケット４１の座板取付ブラケット４１１の連結用板４１１ｃの前端部と前板取付ブラケット４１２の連結用片４１２ｃとをカラー４５を介して回動可能に連結する（図６参照）。この支軸４２１は、左右側に１本ずつ相対して配置されている。連結軸４２２は、相対的に長い軸長からなるもので、取付ブラケット４１の前板取付ブラケット４１２の連結用片４１２ｄに抜止リング４６で抜止め支持される（図６参照）。この連結軸４２２は、共通の１本が左右側に掛渡されて配置されている。支軸４２３は、支軸４２１よりも少し長い軸長からなるもので、取付ブラケット４１の座板取付ブラケット４１１の連結用板４１１ｃの後端部と背板取付ブラケット４１３の連結用片４１３ｃとをカラー４５を介して回動可能に連結する（図５参照）。この支軸４２３は、左右側に１本ずつ相対し互いの方向へ軸長を延ばすようにして配置されている。連結軸４２４は、相対的に長い軸長からなるもので、取付ブラケット４１の背板取付ブラケット４１３の連結用片４１３ｄに抜止リング４６で抜止め支持される（図５参照）。この連結軸４２４は、共通の１本が左右側に掛渡されて配置されている。
【００２５】
連結アーム４３は、長板形からなるもので、両端部が回転軸４２の連結軸４２２，連結軸４２４の中央部にズレ止リング４７で位置固定されて回転可能に連結されている（図５参照）。
【００２６】
バネ材４４は、回転軸４２の連結軸４２２，支軸４２３の間に着脱可能に引張付勢されて掛渡されている。回転軸４２の連結軸４２２，支軸４２３のバネ材４４が連結される部分には、図７に示すように、軋音の消音，摩耗防止等のためのビニルチューブからなる保護カバー４８が被せられている。このバネ材４４は、図８に示すように、コイルスプリングからなるバネ本体４４１の一端部に連結用フック４４２が設けられ他端部にナット４４３，可動フック４４４が設けられている。連結用フック４４２は、回転軸４２の連結軸４２２に嵌合連結される湾曲形状にバネ本体４４１と一体的に形成されている。ナット４４３は、図９に示すように、中心に可動フック４４４が螺合する雌ネジ４４３ａが刻設され外周面にバネ本体４４１が螺合するスパイラル溝４４３ｂが刻設されてなる。可動フック４４４は、図９に示すように、ナット４４３の雌ネジ４４３ａに螺合するネジ棒４４４ａの端部に回転軸４２の支軸４２３に嵌合連結される湾曲形状の連結用フック４４４ｂが形成されている。
【００２７】
この実施の形態によると、リンク部材４が組立て完成されているため、リンク部材４の取付ブラケット４１を座板２，前板３，取付面に取付けることで、座板２，前板３を引出し，折畳み可能に連結して取付面に支持することができる。即ち、座板２，前板３，取付面にリンク部材４の取付ブラケット４１（座板取付ブラケット４１１の取付用板４１１ａ，前板取付ブラケット４１２の取付用板４１２ａ，背板取付ブラケット４１３の取付用板４１３ａ）が当接される面が確保されていれば、連結，支持が可能となる。従って、座板２，前板３の寸法仕様が異なっても、容易にリンク部材４を座板２，前板３に取付けて取付面に支持することができる。この結果、多種類の仕様の座板２，前板３にリンク部材４を対応させることができて汎用性が高くなる。特に、前板３を収納室１の収納空間１６に収納する際に、前板３の寸法仕様が座板２、リンク部材４を前板３によって隠蔽できる範囲であれば、座板２の床面からの高さ(前板の高さ)を任意に設定することが可能となる。
【００２８】
特に、回転軸４２の連結軸４２２，支軸４２３との間に着脱可能に引張付勢されて掛渡されているバネ材４４は、前板３を引出して使用する時は抵抗力を、また、折畳んで収納室１に収納する時に助勢力を発揮する。よって、利用者にとって折畳椅子の自重は負担とならないため、座板、前板は自重に制限されずに多様な設計を行うことができる。
【００２９】
また、２個が相対して配置されている前板取付ブラケット４１２及び背板取付ブラケット４１３は、連結軸４２２と連結軸４２４が左右側に掛渡されて連結されている。よって、リンク部材４は、各部材の位置関係が正確に組立てられており、据付け現場での組立にくるいを生ずることがないため、据付精度が高くなる。
【００３０】
さらに、リンク部材４は据付け現場での組立作業が不要になるため、据付作業工程を簡略化でき、バネ材４４は着脱可能に掛渡されているので据付作業を容易にする。したがって、作業時間は短縮された容易な据付作業を行うことが可能となる。
【００３１】
この実施の形態を使用するには、前板３の取手３２に手を掛けて前板３を前方に引出し、前板３を床面Ｆに接地させることになる。
【００３２】
このとき、前板３の引出しに伴って、リンク部材４が４点で回動して座板２，前板３を展開させる。リンク部材４の連結アーム４３は、４点での回動を連係させている。従って、前板３が円滑に引出される。
【００３３】
そして、前板３の引出しに対して、リンク部材４のバネ材４４が引張付勢から抵抗力を発揮する。このため、引出された前板３が床面Ｆに急激に落下して、衝撃で前板３自体や前板３に連結されている座板２，リンク部材４を損傷することがない。なお、リンク部材４のバネ材４４が引張力については、図１０に示すように、ナット４４３，可動フック４４４の螺合を回動させてバネ本体４４１の軸長ａ，ｂを可変することで調整することができる。また、前板３の下端面３５に取付けられている緩衝脚３６も前述の損傷防止に寄与する。
【００３４】
引出された前板３は、図２，図４に示すように、リンク部材４を介して床面Ｆに垂直に起立して水平になった座板２の前方側を支える。また、座板２の後方側は、リンク部材４を介して取付面によって支えられる。従って、コの字形の耐荷重構造が構成され、座板２に人が腰掛けることができるようになる。
【００３５】
また、不使用時には、前板３の取手３２に手を掛けて前板３を後方に引上げ、前板３を収納室１の収納空間１６に収納させることになる。
【００３６】
このとき、前板３の引上げに伴って、リンク部材４が４点で回動して座板２，前板３が折畳まれる。リンク部材４の連結アーム４３は、４点での回動を連係させている。従って、前板３が円滑に引上げられる。
【００３７】
そして、前板３の引上げに対して、リンク部材４のバネ材４４が引張付勢から助勢力を発揮する。このため、引上げられた前板３が容易に収納室１の収納空間１６に収納される。
【００３８】
収納室１の収納空間１６に収納された前板３は、図３に示すように、収納空間１６の開口を塞いで背部に位置する座板２，リンク部材４を隠蔽する。従って、収納室１が壁面Ｗと面一となって外観体裁が良好になる。なお、収納室１の背板１３に取付けられている緩衝突起１７は、座板２の上面２１の背板１３への衝突を防止する。
【００３９】
また、収納室１の収納空間１６に収納された前板３は、鉄片３４が収納室１の上枠板１１に取付けられているマグネットキャッチャ１８に吸着され、収納室１の収納空間１６に保持される。従って、前板３等が不測に前方に引出されることがない。
【００４０】
以上、図示した実施の形態の外に、足を載せる踏台や各種物品の載置台等として使用することも可能である。
【００４１】
【発明の効果】
以上のように、本発明に係る折畳椅子は、座板，前板の寸法仕様が異なっても取付ブラケットが当接される面が確保されていれば、既に組立て完成されているリンク部材を座板，前板に取付けて取付面に支持することができるため、異なる寸法仕様の座板，前板に対応可能なリンク部材を備えて汎用性が高い効果がある。特に、前板を収納室の収納空間に収納する際に、前板の寸法仕様が座板、リンク部材を前板によって隠蔽できる範囲であれば、座板２の床面からの高さ(前板の高さ)を任意に設定することが可能となる。
【００４２】
特に、リンク部材の連結軸と支軸の間に着脱可能に引張付勢されて掛渡されているバネ材は、前板を引出して使用する時は抵抗力を、また、折畳んで収納室に収納する時に助勢力を発揮する。よって、利用者にとって折畳椅子の自重は負担とならないため、座板、前板は自重に制限されずに多様な設計を行うことができる。
【００４３】
さらに、リンク部材は連結軸が掛設され、対を成す各取付ブラケットが連結されているので、リンク部材を構成する各部材の位置関係が正確に組立てられており、据付け現場での組立にくるいを生ずることがないため、据付精度が高くなる効果がある。
【００４４】
さらに、リンク部材は据付け現場での組立作業が不要になるため、据付作業工程を簡略化でき、バネ材は着脱可能に掛渡されているので据付作業を容易にする。したがって、作業時間は短縮された容易な据付作業を提供できる効果がある。
【図面の簡単な説明】
【図１】  本発明に係る折畳椅子の実施の形態を示す分解した斜視図である。
【図２】  図１を組立てた引出し状態の斜視図である。
【図３】  図１を組立てた折畳み状態の斜視図である。
【図４】  図２の拡大縦断面図である。
【図５】  図４のＸ方向の拡大断面図である。
【図６】  図４のＹ方向の拡大断面図である。
【図７】  図５の要部の断面図である。
【図８】  図４の要部の拡大断面図である。
【図９】  図８の要部の拡大図である。
【図１０】  図８の簡略化した動作図である。
【符号の説明】
１      収容室
１３    背板（取付面）
２      座板
３      前板
４      リンク部材
４１    取付ブラケット
４２    回転軸
４４    バネ材
【図１】
0003657539.tif 000002
【図２】
0003657539.tif 000003
【図３】
0003657539.tif 000004
【図４】
0003657539.tif 000005
【図５】
0003657539.tif 000006
【図６】
0003657539.tif 000007
【図７】
0003657539.tif 000008
【図８】
0003657539.tif 000009
【図９】
0003657539.tif 000010
【図１０】
0003657539.tif 000011